(57)【要約】【課題】  錠先と錠受け金具との間に隙間を設けずに、施錠、開錠するときに、錠先と錠受け金具との摩擦抵抗を最小限に抑えて、錠先を速やかに且つ確実に動作させる。【解決手段】  出入口側に対して固定された錠先支持軸１５を中心に揺動する錠先１３を駆動機構１４によって揺動させ、錠先１３を引戸１に設けられた錠受け金具１０の錠孔１０ａに係脱可能に係合させるように構成した。従って、施錠、開錠するときに、錠先支持軸１５を中心に錠先１３が揺動するので、錠先１３が錠受け金具１０に接触しながら移動することがない。このため、錠先１３と錠受け金具１０との間に隙間を設けずに、施錠、開錠するときに、錠先１３と錠受け金具１０との摩擦抵抗を最小限に抑えることができ、これにより錠先１３を速やかに且つ確実に動作させて、施錠、開錠ができる。【選択図】        図３
2006219820.tif 000002
【特許請求の範囲】
【請求項１】
出入口を自動的に開閉する扉の施錠、開錠を行う自動扉の施錠装置において、
前記出入口側に対して固定された支持軸を中心に揺動する錠先を駆動機構によって揺動させることにより、前記錠先を前記扉に設けられた錠受け金具に係脱可能に係合させることを特徴とする自動扉の施錠装置。
【請求項２】
前記駆動機構は、前記錠先に滑りガイドを介して連結された駆動レバーと、この駆動レバーを動作させて前記錠先を揺動させる電磁ソレノイドと、この電磁ソレノイドの非通電時に前記駆動レバーを前記電磁ソレノイドによる動作方向と逆方向に付勢するばね部材とを備えたことを特徴とする請求項１に記載の自動扉の施錠装置。
【請求項３】
前記電磁ソレノイドは、通電時に前記ばね部材のばね力に抗して前記駆動レバーを動作させることにより、前記錠先を前記錠受け金具に係合させて施錠し、非通電時に前記ばね部材のばね力によって前記駆動レバーを前記電磁ソレノイドによる動作方向と逆方向に動作させることにより、前記錠先を前記錠受け金具から離脱させて開錠することを特徴とする請求項２に記載の自動扉の施錠装置。
【請求項４】
前記電磁ソレノイドは、非通電時に前記ばね部材のばね力によって前記駆動レバーを動作させることにより、前記錠先を前記錠受け金具に係合させて施錠し、通電時に前記ばね部材のばね力に抗して前記駆動レバーを前記ばね部材による動作方向と逆方向に動作させることにより、前記錠先を前記錠受け金具から離脱させて開錠することを特徴とする請求項２に記載の自動扉の施錠装置。
【請求項５】
前記扉は、スライド式のドアまたはスライド式の門扉であることを特徴とする請求項１〜４のいずれかに記載の自動扉の施錠装置。
【請求項６】
前記扉は、スイング式のドアまたはスイング式の門扉であることを特徴とする請求項１〜４のいずれかに記載の自動扉の施錠装置。
【発明の詳細な説明】
【技術分野】
【０００１】
この発明は、スライド式のドアや門扉、あるいはスイング式のドアや門扉などの扉を自動的に開閉する自動扉の施錠装置に関し、更に詳しくは遠隔操作で錠の開閉を行う自動扉の施錠装置に関する。
【背景技術】
【０００２】
例えば、マンションなどの集合住宅やオフィスビルなどの建物の出入口においては、常時、ドアや門扉などの扉に錠を掛けた施錠状態にしておき、インターホンなどにより訪問者を確認して訪問者の進入を許可すると判断したときに、出入口の扉の錠を遠隔操作で開錠したり、あるいはセキュリティの認証システムで訪問者を確認して訪問者の進入を許可すると判断したときに、システムが自動で出入口の扉の錠を遠隔操作で開錠したりする、いわゆるオートロックシステムが一般的に知られている。
【０００３】
このようなオートロックシステムに用いられる自動扉の施錠装置においては、特許文献１に記載されているように、扉に固定された錠受け金具の錠孔に錠先を駆動装置によってスライドさせて挿入させることにより施錠し、また錠先を駆動装置によって逆方向にスライドさせて錠受け金具の錠孔から離脱させることにより開錠するように構成したものがある。
【特許文献１】特開平０８−１００５５２号
【０００４】
このような従来の自動扉の施錠装置の原理は、例えば、図１２ａおよび図１２ｂに示すように、錠先ａを駆動装置である電磁ソレノイドｂで直進運動させることにより、錠先ａを錠受け金具ｃの錠孔ｄに垂直に挿入させて施錠し、また電磁ソレノイドｂの非通電時にばね部材ｅのばね力によって錠先ａを錠孔ｄから垂直に引き出して開錠するように構成されている。
【発明の開示】
【発明が解決しようとする課題】
【０００５】
しかしながら、このような従来の自動扉の施錠装置では、錠先ａが錠受け金具ｃの錠孔ｄに対して垂直に直進移動するので、図１２ａに示すように、ばね部材ｅのばね力によって錠先ａを錠受け金具ｃの錠孔ｄから引き出して開錠するときに、錠先ａが錠孔ｄの内面に接触しながら移動するため、錠先ａと錠孔ｄの内面との摩擦力によって錠先ａの円滑な動作が妨げられ、速やかに開錠できないことが時々発生する。
【０００６】
このような不都合を回避するためには、ばね部材ｅのばね力を強くする必要があるが、ばね部材ｅのばね力を強くすると、これに伴って電磁ソレノイドｂの動作力を強くしなければならない。しかし、ドア付近ではあまり大きなスペースをとることが困難であるため、使用できる電磁ソレノイドｂは、極力、小型のものに限られるという問題がある。このため、使用できるばね部材ｅもばね力の弱いものに限られる。
【０００７】
また、錠先ａと錠孔ｄの内面との摩擦抵抗を極力回避するために、錠先ａと錠受け金具ｃとに摩擦係数の小さい材料の部品を追加することが考えられるが、このような構造では、部品点数が増加し、コストが高くなるばかりか、問題の根本的な解決にならない。そこで、施錠するときに、図１２ｂに示すように、錠先ａが錠受け金具ｃの錠孔ｄの内面に接触せず、錠先ａと錠孔ｄの内面との間に十分な隙間ｓをとって施錠することが考えられているが、このような構造では、扉の遊びが大きくなるという欠点が生じる。
【０００８】
この発明が解決しようとする課題は、錠先と錠受け金具との間に隙間を設けずに、施錠するときにも、また開錠するときにも、錠先と錠受け金具との摩擦抵抗を最小限に抑え、錠先を速やかに且つ確実に動作させて施錠、開錠ができる自動扉の施錠装置を提供することである。
【課題を解決するための手段】
【０００９】
この発明は、上記課題を解決するために、次のような構成要素を備えている。
なお、各構成要素には、後述する各実施形態の項で説明される各要素に付されている図面の参照番号などを括弧と共に付す。
【００１０】
請求項１に記載の発明は、図１〜図１１に示すように、出入口（Ｋ）を自動的に開閉する扉（引戸１）の施錠、開錠を行う自動扉の施錠装置において、前記出入口側に対して固定された支持軸（錠先支持軸１５）を中心に揺動する錠先（１３）を駆動機構（１４）によって揺動させることにより、前記錠先を前記扉に設けられた錠受け金具（１０）に係脱可能に係合させることを特徴とする自動扉の施錠装置である。
【００１１】
請求項２に記載の発明は、図１〜図１１に示すように、前記駆動機構（１４）が、前記錠先（１３）に滑りガイド（滑りガイド溝１６）を介して連結された駆動レバー（１７）と、この駆動レバーを動作させて前記錠先を揺動させる電磁ソレノイド（１８）と、この電磁ソレノイドの非通電時に前記駆動レバーを前記電磁ソレノイドによる動作方向と逆方向に付勢するばね部材（１９）とを備えたことを特徴とする請求項１に記載の自動扉の施錠装置である。
【００１２】
請求項３に記載の発明は、図１〜図９に示すように、前記電磁ソレノイド（１８）が、通電時に前記ばね部材（１９）のばね力に抗して前記駆動レバー（１７）を動作させることにより、前記錠先（１３）を前記錠受け金具（１０）に係合させて施錠し、非通電時に前記ばね部材のばね力によって前記駆動レバーを前記電磁ソレノイドによる動作方向と逆方向に動作させることにより、前記錠先を前記錠受け金具から離脱させて開錠することを特徴とする請求項２に記載の自動扉の施錠装置である。
【００１３】
請求項４に記載の発明は、図１０および図１１に示すように、前記電磁ソレノイド（１８）が、非通電時に前記ばね部材（１９）のばね力によって前記駆動レバー（１７）を動作させることにより、前記錠先（１３）を前記錠受け金具（１０）に係合させて施錠し、通電時に前記ばね部材のばね力に抗して前記駆動レバーを前記ばね部材による動作方向と逆方向に動作させることにより、前記錠先を前記錠受け金具から離脱させて開錠することを特徴とする請求項２に記載の自動扉の施錠装置である。
【００１４】
請求項５に記載の発明は、図１〜図１１に示すように、前記扉（引戸１）がスライド式のドアまたはスライド式の門扉であることを特徴とする請求項１〜４のいずれかに記載の自動扉の施錠装置である。
【００１５】
請求項６に記載の発明は、前記扉がスイング式のドアまたはスイング式の門扉であることを特徴とする請求項１〜４のいずれかに記載の自動扉の施錠装置である。
【発明の効果】
【００１６】
請求項１に記載の発明によれば、出入口側に対して固定された支持軸を中心に揺動する錠先を駆動機構によって揺動させることにより、錠先を扉に設けられた錠受け金具に係脱可能に係合させるので、開錠するときにも、また施錠するときにも、支持軸を中心に錠先が揺動することにより、錠先が錠受け金具に接触しながら移動せず、錠先の係合面を錠受け金具の係合面に対面させながら移動させて、錠先を錠受け金具に対して離脱、係合させることができる。
【００１７】
すなわち、開錠するときには、錠先が錠受け金具に接触して係合していても、支持軸を中心に錠先が揺動するので、錠先が錠受け金具に接触しながら移動せず、錠先の係合面が錠受け金具の係合面に対面しながら離れる方向に移動して、錠先が錠受け金具から離脱する。また、施錠するときには、支持軸を中心に錠先が揺動するので、錠先が錠受け金具に接触しながら移動せず、錠先の係合面が錠受け金具の係合面に対面しながら接近して係合する。このため、錠先と錠受け金具との間に隙間を設けずに、施錠するときにも、また開錠するときにも、錠先と錠受け金具との摩擦抵抗を最小限に抑えることができ、これにより錠先を速やかに且つ確実に動作させて施錠、開錠ができる。
【００１８】
請求項２に記載の発明によれば、駆動機構が、錠先に滑りガイドを介して連結された駆動レバーと、この駆動レバーを動作させて錠先を揺動させる電磁ソレノイドと、この電磁ソレノイドの非通電時に駆動レバーを電磁ソレノイドによる動作方向と逆方向に付勢するばね部材とを備えていることにより、駆動レバーがリンク機構として機能するため、電磁ソレノイドによる駆動レバーの移動量が小さくても、駆動レバーによる錠先の移動量を大きくすることができる。このため、電磁ソレノイドを小型化することができると共に、ばね部材のばね力を小さくすることができ、これにより施錠装置全体の小型化を図ることができる。
【００１９】
この場合、駆動レバーは、滑りガイドを介して錠先を搖動させるので、錠先を確実に且つ円滑に揺動させることができる。また、駆動レバーは、錠受け金具に対しほぼ垂直に起立した状態で、錠先を錠受け金具に係合させる構成であれば、扉を無理に開けようとして、錠受け金具が錠先に当接しても、駆動レバーが錠先の支え棒として機能するので、錠先が錠受け金具から離脱する方向に向けて移動するのを阻止することができ、これにより確実に施錠を保持することができるので、安全性の高いものを得ることができる。
【００２０】
請求項３に記載の発明によれば、電磁ソレノイドが、通電時にばね部材のばね力に抗して駆動レバーを動作させることにより、錠先を錠受け金具に係合させて施錠し、非通電時にばね部材のばね力によって駆動レバーを電磁ソレノイドによる動作方向と逆方向に動作させることにより、錠先を錠受け金具から離脱させて開錠するので、電磁ソレノイドの通電時に施錠することができ、電磁ソレノイドの非通電時に開錠することができる。
【００２１】
請求項４に記載の発明によれば、電磁ソレノイドが、非通電時にばね部材のばね力によって駆動レバーを動作させることにより、錠先を錠受け金具に係合させて施錠し、通電時にばね部材のばね力に抗して駆動レバーをばね部材による動作方向と逆方向に動作させることにより、錠先を錠受け金具から離脱させて開錠するので、請求項３に記載の発明とは逆に、電磁ソレノイドの非通電時に施錠することができ、電磁ソレノイドの通電時に開錠することができる。
【００２２】
請求項５に記載の発明によれば、扉がスライド式のドアまたはスライド式の門扉であることにより、スライド式のドアまたはスライド式の門扉に好適に適用することができる。
【００２３】
請求項６に記載の発明によれば、扉がスイング式のドアまたはスイング式の門扉であることにより、スイング式のドアまたはスイング式の門扉に好適に適用することができる。
【発明を実施するための最良の形態】
【００２４】
（実施形態１）
以下、図１〜図９を参照して、この発明を適用した自動扉の施錠装置の実施形態１について説明する。
図１は自動扉装置の全体構成を示した図、図２〜図５は図１の自動扉の施錠装置を示した各図である。
この自動扉装置は、図１に示すように、建物Ｔの出入口Ｋを開閉自在に塞ぐ引戸１を備えている。この引戸１は、スライド式の扉であり、この引戸１の上部両側に一対の戸車２が設けられ、この戸車２が出入口Ｋの上部に設けられたレール３上を転動することにより、出入口Ｋを開閉するように構成されている。
【００２５】
この場合、レール３の上方には、扉開閉装置４が設けられている。この扉開閉装置４は、レール３の両側上方に配置された一対のプーリ５と、これら一対のプーリ５に巻き付けられた駆動ベルト６と、一方のプーリ５を駆動するモータなどからなる駆動部７とを備え、引戸１の上部に設けられたドア連結板８が駆動ベルト６に取り付けられ、この状態で駆動部７によってプーリ５が回転すると、この回転に伴って駆動ベルト６が移動してドア連結板８を移動させることにより、自動的に引戸１を移動させるように構成されている。
【００２６】
また、引戸１の上部には、図１および図２に示すように、錠受け金具１０が設けられている。この錠受け金具１０に対応する箇所、つまり引戸１が出入口Ｋを閉じた状態のときに、錠受け金具１０が対応する箇所には、施錠装置１１が設けられている。この施錠装置１１は、図２〜図５に示すように、建物Ｔに固定されたベース部材１２を備えている。このベース部材１２は、Ｌ字状に折り曲げられて底部１２ａと側壁部１２ｂとを有する構成になっている。このベース部材１２には、錠受け金具１０の錠孔１０ａに係脱可能に係合する錠先１３と、この錠先１３を揺動させる駆動機構１４とが搭載されている。
【００２７】
錠先１３は、図３に示すように、ほぼＬ字状に形成され、その基端部（図３では左端部）がベース部材１２の側壁部１２ｂに設けられた錠先支持軸１５に回転可能に取り付けられ、この錠先支持軸１５を中心に上下方向に揺動して、先端部１３ａが錠受け金具１０の錠孔１０ａに係脱可能に挿入して係合するように構成されている。駆動機構１４は、錠先１３に滑りガイド溝１６を介して連結された駆動レバー１７と、この駆動レバー１７を動作させて錠先１３を揺動させる電磁ソレノイド１８と、この電磁ソレノイド１８の非通電時に駆動レバー１７を電磁ソレノイド１８による動作方向と逆方向に付勢するばね部材１９とを備えている。
【００２８】
この駆動機構１４の駆動レバー１７は、図３〜図５に示すように、その下端部がベース部材１２の底部１２ａに設けられた取付板２０のレバー支持軸２１に回転可能に取り付けられ、上端部にレバー先端軸２２が取り付けられ、このレバー先端軸２２が錠先１３の滑りガイド溝１６内にスライド可能に配置されて錠先１３に連結された構成になっている。
【００２９】
これにより、駆動レバー１７は、図３に示すように、その下端部のレバー支持軸２１を中心に回動すると、上端部のレバー先端軸２２が錠先１３の滑りガイド溝１６内をスライドして、錠先１３を上下方向に揺動させるように構成されている。この場合、駆動レバー１７は、上端部のレバー先端軸２２が錠先１３の錠先支持軸１５側に向けて移動するときに、右下がりに傾いて錠先１３を引き下げ、また上端部のレバー先端軸２２が錠先１３の錠先支持軸１５と反対側に向けて移動するときに、ほぼ垂直になるように起立しながら錠先１３を押し上げるように構成されている。
【００３０】
電磁ソレノイド１８は、図３〜図５に示すように、ベース部材１２の側壁部１２ｂに固定されたソレノイド本体２３と、このソレノイド本体２３内に出没方向に移動可能に配置されたプランジャ２４とを備え、ソレノイド本体２３内のコイル(図示せず)に電流を流して磁界を発生させることにより、この発生した磁界によってプランジャ２４をソレノイド本体２３内に引き込む方向に直進移動させるように構成されている。この場合、電磁ソレノイド１８は、プランジャ２４の先端部が連結軸２５によって駆動レバー１７の中間部よりも下側に連結され、通電時にプランジャ２４を引き込んで駆動レバー１７をほぼ垂直に起立する方向に回動させ、これにより錠先１３を押し上げるように構成されている。
【００３１】
また、ばね部材１９は、図３および図４に示すように、一端部がプランジャ２４の連結軸２５に取り付けられ、他端部がベース部材１２に設けられた取付ピン２６に取り付けられ、この状態で駆動レバー１７を電磁ソレノイド１８による動作方向と逆方向に付勢するように構成されている。これにより、ばね部材１９は、電磁ソレノイド１８の非通電時に、ばね力によって駆動レバー１７を電磁ソレノイド１８による動作方向と逆方向、つまり右下がりに傾く方向に回動させて錠先１３を引き下げるように構成されている。
【００３２】
次に、このような自動扉の施錠装置１１の作用について説明する。
予め、図６（ａ）に示すように、電磁ソレノイド１８は非通電状態になっており、これにより駆動レバー１７がばね部材１９のばね力によって下端部のレバー支持軸２１を中心に反時計回りに回転し、駆動レバー１７のレバー先端軸２２が錠先１３の滑りガイド溝１６内における錠先支持軸１５側の内端部（同図では左側の内端部）に位置している。このため、錠先１３が錠先支持軸１５を中心に下方に回動して錠先１３の先端部１３ａが引戸１の錠受け金具１０の下方に離れている。これにより、錠受け金具１０は、その移動が錠先１３によって妨げられることがないので、引戸１と共に移動可能な状態になっている。
【００３３】
この状態で、引戸１が扉開閉装置４によって移動して出入口Ｋを閉じると、図６（ａ）に示すように、引戸１の錠受け金具１０に施錠装置１１の錠先１３が対応するので、この施錠装置１１によって施錠することができる。このときには、まず、遠隔操作によって電磁ソレノイド１８に電流を流して通電する。すると、図６（ｂ）に示すように、電磁ソレノイド１８のプランジャ２４がばね部材１９のばね力に抗してソレノイド本体２３内に引き込まれる。これにより、駆動レバー１７が時計回りに回動し、駆動レバー１７のレバー先端軸２２が錠先１３の滑りガイド溝１６内を錠先支持軸１５から離れる方向に移動する。
【００３４】
そして、電磁ソレノイド１８のプランジャ２４の引き込み動作が停止すると、図６（ｃ）に示すように、駆動レバー１７のレバー先端軸２２が錠先１３の滑りガイド溝１６内を移動して錠先支持軸１５と反対側の内端部（同図では右側の内端部）に当接して、駆動レバー１７がほぼ垂直に起立する。これにより、錠先１３が最も押し上げられ、錠先１３の先端部１３ａが錠受け金具１０の錠孔１０ａに挿入して係合する。
【００３５】
この状態では、図７に示すように、駆動レバー１７がベース部材１２の底部１２ａ上にほぼ垂直に起立しているので、この駆動レバー１７が錠先１３の支え棒となり、錠先１３の下方への回動を阻止することができる。このため、引戸１を無理に開けようとして、錠受け金具１０の錠孔１０ａの縁が錠先１３の先端部１３ａに当接して、錠先１３を押し下げようとしても、駆動レバー１７によって錠先１３が下方に向けて回動するのを阻止することができる。これにより、確実に施錠状態を保持することができる。
【００３６】
一方、この施錠状態で開錠する場合には、図８（ａ）において電磁ソレノイド１８への通電を断って非通電状態にする。すると、電磁ソレノイド１８のプランジャ２４が自由状態になるので、図８（ｂ）に示すように、ばね部材１９がそのばね力によって駆動レバー１７を引き寄せる。これにより、駆動レバー１７は、その下端部のレバー支持軸２１を中心に反時計回りに回動し、駆動レバー１７のレバー先端軸２２が錠先１３の滑りガイド溝１６内を錠先支持軸１５側に向けて移動し、錠先１３を下方に向けて回動させる。このため、錠先１３の先端部１３ａが錠受け金具１０の下方に向けて回動しながら移動する。
【００３７】
そして、図８（ｃ）に示すように、ばね部材１９によって駆動レバー１７が更に回動して、駆動レバー１７のレバー先端軸２２が錠先１３の滑りガイド溝１６内における錠先支持軸１５側の内端部（同図では左側の内端部）に当接すると、駆動レバー１７によって錠先１３が引き下げられるので、錠先１３が錠先支持軸１５を中心に下方に回動して錠先１３の先端部１３ａが引戸１の錠受け金具１０の下側に離脱する。これにより、錠先１３による施錠が開錠されて、錠受け金具１０が錠先１３によって妨げられることなく、引戸１と共に移動可能な状態になる。
【００３８】
このように、この自動扉の施錠装置１１によれば、出入口Ｋ側に設けられたベース部材１２に錠先支持軸１５を設け、この錠先支持軸１５を中心に揺動する錠先１３を駆動機構１４によって揺動させることにより、錠先１３を引戸１に設けられた錠受け金具１０の錠孔１０ａに係脱可能に係合させるので、開錠するときにも、また施錠するときにも、錠先支持軸１５を中心に錠先１３が揺動することにより、錠先１３が錠受け金具１０に接触しながら移動せず、錠先１３の先端部１３ａを錠受け金具１０の錠孔１０ａの内面に対面させながら移動させて、錠先１３を錠受け金具１０に対して離脱、係合させることができる。
【００３９】
すなわち、開錠するときには、錠先１３の先端部１３ａが錠受け金具１０の錠孔１０ａに係合していても、錠先支持軸１５を中心に錠先１５が下方に向けて回動することにより、錠先１３の先端部１３ａが図９（ａ）に示す移動軌跡を描いて錠受け金具１０の錠孔１０ａから離れる。このため、錠先１３の先端部１３ａは、錠受け金具１０の錠孔１０ａの内面に接触しながら移動せず、図９（ａ）に示すように、錠受け金具１０の錠孔１０ａの内面に対面しながら離れる方向に徐々に移動して錠受け金具１０から下方に離脱する。
【００４０】
また、施錠するときには、錠先支持軸１５を中心に錠先１３が上方に向けて回動することにより、錠先１３の先端部１３ａが図９（ｂ）に示す移動軌跡を描いて錠受け金具１０の錠孔１０ａに挿入して係合する。このため、錠先１３の先端部１３ａが錠受け金具１０の錠孔１０ａの内面に接触しながら移動せず、図９（ｂ）に示すように、錠受け金具１０の錠孔１０ａの内面に対面しながら接近して係合する。これにより、施錠するときにも、また開錠するときにも、錠先１３の先端部１３ａと錠受け金具１０の錠孔１０ａの内面との間に隙間を設けずに、錠先１３と錠受け金具１０との摩擦抵抗を最小限に抑えることができ、これにより錠先１３を速やかに且つ確実に動作させて施錠、開錠ができる。
【００４１】
この場合、錠先１３を回動させる駆動機能１４は、錠先１３に滑りガイド溝１６を介して連結された駆動レバー１７と、この駆動レバー１７を動作させて錠先１３を揺動させる電磁ソレノイド１８と、この電磁ソレノイド１８の非通電時に駆動レバー１７を電磁ソレノイド１８による動作方向と逆方向に付勢するばね部材１９とを備えていることにより、駆動レバー１７がリンク機構として機能するため、電磁ソレノイド１８による駆動レバー１７の移動量が小さくても、駆動レバー１７による錠先１３の移動量を大きくすることができる。このため、電磁ソレノイド１８を小型化することができると共に、ばね部材１９のばね力を小さくすることができ、これにより施錠装置１１全体の小型化を図ることができる。
【００４２】
また、駆動レバー１７は、そのレバー先端軸２２が滑りガイド溝１６を移動しながら、錠先支持軸１５を中心に錠先１３を搖動させるので、錠先１３を確実に且つ円滑に揺動させることができる。更に、駆動レバー１７は、錠受け金具１０に対しほぼ垂直に起立した状態で、錠先１３の先端部１３ａを錠受け金具１０の錠孔１０ａに係合させていることにより、駆動レバー１７が錠先１３の支え棒として機能するので、引戸１を無理に開けようとして、錠受け金具１０の錠孔１０ａの縁が錠先１３の先端部１３ａに当接しても、駆動レバー１７によって錠先１３が下方に向けて回動するのを阻止することができ、これにより確実に施錠を保持することができ、安全性の高いものを得ることができる。
【００４３】
（実施形態２）
次に、図１０および図１１を参照して、この発明を適用した自動扉の施錠装置の実施形態２について説明する。なお、図１〜図９に示された実施形態１と同一部分には同一符号を付して説明する。
この施錠装置３０は、電磁ソレノイド１８の通電時に開錠し、非通電時に施錠する構成で、これ以外は実施形態１とほぼ同じ構成になっている。すなわち、電磁ソレノイド１８とばね部材１９とは、図１０および図１１に示すように、駆動レバー１７を境にして、実施形態１の場合と左右反対に配置されている。
【００４４】
この場合、電磁ソレノイド１８は、錠先１３の錠先支持軸１５側(図１０では左側)に配置され、通電時にプランジャ２４が駆動レバー１７を引き寄せて、駆動レバー１７を図１０において反時計回りに回動させるように構成されている。これにより、錠先１３は、駆動レバー１７によって引き下げられ、錠先１３の先端部１３ａが錠受け金具１０の錠孔１０ａから下方に離脱するように構成されている。
【００４５】
また、ばね部材１９は、錠先１３の錠先支持軸１５と反対側(図１０では右側)に配置され、電磁ソレノイド１８が非通電状態のときに、駆動レバー１７を電磁ソレノイド１８による動作方向と反対方向に引き寄せて、駆動レバー１７を図１０において時計回りに回動させるように構成されている。これにより、錠先１３は、駆動レバー１７によって押し上げられ、錠先１３の先端部１３ａが錠受け金具１０の錠孔１０ａに挿入して係合するように構成されている。このときにも、駆動レバー１７は、ほぼ垂直に起立した状態で錠先１３を押し上げる。
【００４６】
このような施錠装置３０によれば、電磁ソレノイド１８が、非通電時にばね部材１９のばね力によって駆動レバー１７を動作させることにより、錠先１３を錠受け金具１０に係合させて施錠し、通電時にばね部材１９のばね力に抗して駆動レバー１７をばね部材１９による動作方向と逆方向に動作させることにより、錠先１３を錠受け金具１０から離脱させて開錠するので、実施形態１とは逆に、電磁ソレノイド１８の非通電時に施錠することができ、電磁ソレノイド１８の通電時に開錠することができる。このため、この施錠装置３０においても、実施形態１と同様の効果がある。
【００４７】
なお、上記実施形態１または２では、駆動機構１４の駆動源として電磁ソレノイド１８を用いた場合について述べたが、これに限らず、電動モータやエアシリンダ、油圧シリンダなどを用いても良く、また錠先１３に駆動レバー１７を連結し、この駆動レバー１７を電磁ソレノイド１８などの駆動源で駆動するように構成したが、必ずしも駆動レバー１７を用いる必要はなく、電磁ソレノイド１８などの駆動源で直接錠先１３を駆動するように構成しても良い。
【００４８】
また、上記実施形態１または２では、扉として、片開きの引戸１について述べたが、これに限らず、両開きの引戸にも適用することができるほか、スライド式の引戸１に限らず、スライド式の門扉にも適用できると共に、スイング式のドアや門扉などの扉にも広く適用することができる。
【図面の簡単な説明】
【００４９】
【図１】この発明を適用した自動扉装置の全体構成を示した図である。（実施形態１）
【図２】図１の自動扉の施錠装置を示した要部の正面図である。
【図３】図２の自動扉の施錠装置を示した側面図である。
【図４】図３の自動扉の施錠装置を示した平面図である。
【図５】図３のＡ−Ａ矢視における断面図である。
【図６】図３の施錠装置の施錠動作を示し、（ａ）は施錠前の状態を示した図、（ｂ）は電磁ソレノイドを通電させて駆動レバーが動作を開始した状態を示した図、（ｃ）は駆動レバーが錠先を押し上げて施錠した状態を示した図である。
【図７】図６（ｃ）の状態を示した拡大図である。
【図８】図３の施錠装置の開錠動作を示し、（ａ）は施錠状態を示した図、（ｂ）は電磁ソレノイドを非通電状態にしたときにばね部材によって駆動レバーが動作を開始した状態を示した図、（ｃ）は駆動レバーが錠先を引き下げて開錠した状態を示した図である。
【図９】図３の施錠装置における錠先の先端部の移動軌跡を示し、（ａ）は開錠時における錠先の先端部の移動軌跡を示した図、（ｂ）は施錠時における錠先の先端部の移動軌跡を示した図である。
【図１０】この発明を適用した自動扉の施錠装置の側面図である。（実施形態２）
【図１１】図１０の自動扉の施錠装置を示した平面図である。
【図１２】従来の自動扉の施錠装置における原理を示し、（ａ）は開錠時における錠先と錠受け金具との動作状態の一例を示した図、（ｂ）は施錠時における錠先と錠受け金具との動作状態の他の例を示した図である。
【符号の説明】
【００５０】
１  引戸
４  扉開閉装置
１０  錠受け金具
１０ａ  錠孔
１１、３０  施錠装置
１２  ベース部材
１３  錠先
１３ａ  先端部
１４  駆動機構
１５  錠先支持軸
１６  滑りガイド溝
１７  駆動レバー
１８  電磁ソレノイド
１９  ばね部材
Ｋ  出入口
【図１】
2006219820.tif 000003
【図２】
2006219820.tif 000004
【図３】
2006219820.tif 000005
【図４】
2006219820.tif 000006
【図５】
2006219820.tif 000007
【図６】
2006219820.tif 000008
【図７】
2006219820.tif 000009
【図８】
2006219820.tif 000010
【図９】
2006219820.tif 000011
【図１０】
2006219820.tif 000012
【図１１】
2006219820.tif 000013
【図１２】
2006219820.tif 000014